(57)【特許請求の範囲】
【請求項１】
柄部と掬い部が別々に構成され、これを組み立てて、柄部に設けられたスライドガイドと掬い部に設けられたスライドレールによって伸縮が行われる合成樹脂製食器具であって、スライドレールには補強リブが設けられ、折り畳まれた初期状態には掬い部に設けられた掬い側ストッパーが柄部に設けられた収納ストッパーを乗り越えて柄部の後端壁に掬い部後端が干渉する位置にあり、さらに柄部にスライドレールとの接触を増すスライドガイド大を対で設置するとともに使用時には柄部から掬い部をスライド前進させて伸ばすことにより、柄部側の一部欠切スライドガイドに設けられた乗り越え縁が、掬い部側の固定リブに設けられた傾斜部を乗り越え、固定リブの戻り防止縁と一部欠切スライドガイドの戻り防止ストッパーによって後退しないよう保持され、掬い部に設けられた掬い部側ストッパーが前進防止柱と干渉して、伸ばされた状態が固定されて使用可能な形態に組み立てられる組立式折り畳み食器具。
【発明の詳細な説明】
【０００１】
【発明に属する技術分野】
本発明は、組立が可能で、使用前には折り畳まれた状態で保持され、使用時には容易に伸ばして組み立てることが可能あり、伸ばされた状態に対して、様々な方向からの強度を確保し、形態を保持することが出来る食器具。
【０００２】
【従来の技術】
デザート食品、インスタント食品への飲食具の添付が試みられているが、合成樹脂製スプーンにおいて柄部と掬い部とをヒンジ部で連結形成することにより、折り畳むことが可能で、組立時には、柄部と掬い部に嵌合部を設けて組み立てることを可能にした食器具などを使用することがある。
【０００３】
しかし使用時の組立方法が難解であったり、ヒンジ部を有するために、その食器具に使用する材質が柔軟性のあるものとなり、強度不足などの問題があった。特に折り畳むための食器具の形状が複雑で合成樹脂での成型では金型が複雑であり生産性が悪く、また折り畳まれた状態にするための作業が難しかったりすることがあった。
【０００４】
【発明が解決しようとする課題】
そこで本考案は、上述したような問題を解決した、合成樹脂で成形した柄部と掬い部の別々の部品を嵌合するだけで、容易に折り畳まれた状態に組み立てることが可能であって、使用者が、柄部と掬い部をスライドさせて組み立てることによって折り畳まれた状態から簡単に使用出来る状態になる食器具を提供せんとするものである。
【０００５】
【問題を解決する手段】
本発明は、食器具の柄部と掬い部が別々の部品で構成されており、掬い部には柄と嵌合して摺動するための連続したスライドレールが設けられている。柄部には掬い部を嵌合して食器具として一体になり、使用時には小さくなった状態から人の手により伸ばされた状態にするが、柄には掬い部のスライドレールを保持するためのスライドガイドを有する。
【０００６】
別々に構成された柄と掬い部の２部品の組立は、折り畳まれた状態の位置で、掬い部の挿入縁が柄のスライドガイドの案内壁を乗り越える事だけにより組立が完了する。使用時には折り畳まれた状態から柄部から掬い部をスライドし前進させて伸ばすことにより食器具の形となるが、柄部と掬い部は折り畳まれた状態を保持するために掬い部に形成された掬い側ストッパーが、柄に設けられた収納ストッパーによって、安易にスライドしないように折り畳まれた状態を保持することが出来る。
【０００７】
柄部から掬い部を前進しスライドすることによって組み立てる際には、掬い部に形成された掬い部側ストッパーが柄部に設けられた収納ストッパーを無理に乗り越えて折り畳まれた状態から解放される。また、伸ばされた状態を保持するために、柄側の一部欠切スライドガイドに設けられた乗り越え縁が、掬い側の固定リブに設けられたストッパー傾斜部を乗り越え、固定リブの戻り防止縁と一部欠切スライドガイドの戻り防止ストッパーによって後退しないよう戻りを防止する機能を持つ。また掬い部に設けられた掬い側ストッパーが柄部に設けられた前進防止柱と干渉し伸ばされた状態が固定されて、食器具は使用可能な形態に組み立てられる。
【０００８】
【発明実施の形態】
本発明は、合成樹脂で成形された掬い部１と同じく合成樹脂で成形された柄２からなっている。図１は掬い部１と柄２が食器具として使用可能な状態に伸ばされた形態を示す。また図２は掬い部１と柄２が折り畳まれた状態を示すものである。
【０００９】
掬い部１と柄２の組立は図２で示した、折り畳まれた状態の位置で組立を行う。組立は柄２に平行して多数設けられたスライドガイド１０の断面形状にある案内壁１５が掬い部１に平行に連続して設けられたスライドレール７と一体となった挿入縁９と接触する位置関係となる。この接触した位置から無理にはめ込むことで、案内壁１５が挿入縁９を乗り越えて図３に示す通り組立が完成できる。また掬い部１の強度を増すことを目的にスライドレール７に補強リブ８が設けられている。
【００１０】
図４に示す掬い部１には掬い部側ストッパー３が設られており、掬い部側ストッパー３の断面形状を図６に示す。掬い部側ストッパー３は食器具として使用が可能なように伸ばして組み立てようとする際に、柄２に設けられた収納ストッパー１４を乗り越えて組立動作に入る。収納ストッパーは折り畳まれた状態を保持するためのもので、したがって掬い部側ストッパー３が収納ストッパー１４を乗り越えるときには、若干の抵抗があるように設けられている。
【００１１】
掬い部１と柄２のスライドは柄２に平行して多数設けられたスライドガイド１０と掬い部１に平行に連続して設けられたスライドレール７によってスムーズに摺動する事が可能である。
【００１２】
このスライド構造によって掬い部１を最前進させて掬い部１と柄２を食器具として使用が可能な状態を固定するために図１７に示す掬い部１に対で２カ所設けられた固定リブ４にある傾斜部５と、柄２に対で２カ所設けられた一部欠切スライダガイド１１にある乗り越え縁１６が干渉しはじめ、組立時には抵抗となるが、そのまま前進させようとする力を加えることにより傾斜部５が、乗り越え縁１６を乗り越えて嵌合音と共に図１８に示す通り嵌合状態となり、戻り防止ストッパー１７と戻り防止縁１８がロックし折り畳まれた状態の方向に戻ろうとさせる力に対しては強固に耐えることが出来る。
【００１３】
またスライドガイド大１２を対で設置することによって、柄部のスライドレール７との接触面積を増やすことができ、食器具として使用時に加わる力に対しての強度確保をおこなう。そして組立られたときに、掬い部側ストッパー３は柄２に設けられた前進防止柱１３に接触しその位置以上に伸ばされようとする力を前進防止柱１３の位置で止めることにより掬い部１と柄２が伸ばされた状態で固定がされた状態となり食器具として使用が可能となる。
【００１４】
【発明の効果】
以上説明したように、本発明の組立式折り畳み食器具は折り畳まれた状態では扁平でかさばらず、食品容器への直接添付が容易であり使用時には、簡単に柄部をスライドさせて組み立てるだけで使用が可能な状態となる。上述の通り勘合状態の強度が強くあらゆる方向からの力に耐えうるため接合部が強固な食器具である。本考案による食器具はポリスチレンやポリプロピレンなどの合成樹脂性で、射出成形方式で行うが、柄部、掬い部ともに、金型構造としてはスライド方式を多用した割型などの複雑な構造を有しないことでの形状となっており、生産性が高い。また組立に関しても小さな力での組立が行えるため、金型内で柄部と掬い部を同時に成型する方式をとることにより、成型品を取り出すロボットを使用することで、容易に自動で組み立てることが可能である。よって、組立についても生産性が高く、大量に安価なものとして供給が出来るものである。
【図面の簡単な説明】
【図１】図１は伸ばされて組立られた状態の平面図
【図２】図２は折り畳まれた状態の平面図
【図３】図３は掬い部と柄の装着状態を示す図２のＡ−Ａ′断面図
【図４】図４は掬い部平面図
【図５】図５は掬い部正面図
【図６】図６は掬い部要部断面
【図７】図７は掬い部裏面よりの平面図
【図８】図８は図６のＡ−Ａ′断面図
【図９】図９は図６のＢ−Ｂ′断面図
【図１０】図１０は柄平面図
【図１１】図１１は柄側面図
【図１２】図１２は柄断面図
【図１３】図１３は柄裏面よりの平面図
【図１４】図１４は図１２のＡ−Ａ′断面図
【図１５】図１５は図１２のＢ−Ｂ′断面図
【図１６】図１６は図１の裏面よりの平面図
【図１７】図１７は図１６のＡ部拡大平面図
【図１８】図１８は図１７の嵌合前平面図
【符号の説明】
１    掬い部
２    柄
３    掬い側ストッパー
４    固定リブ
５    ストッパー傾斜部
６    もどり防止壁
７    スライドレール
８    補強リブ
９    挿入縁
１０  スライドガイド
１１  一部欠切スライドガイド
１２  スライドガイド大
１３  前進防止柱
１４  収納ストッパー
１５  案内壁
１６  乗り越え縁
１７  戻り防止ストッパー
１８  戻り防止縁
【図１】
0003723798.tif 000002
【図２】
0003723798.tif 000003
【図３】
0003723798.tif 000004
【図４】
0003723798.tif 000005
【図５】
0003723798.tif 000006
【図６】
0003723798.tif 000007
【図７】
0003723798.tif 000008
【図８】
0003723798.tif 000009
【図９】
0003723798.tif 000010
【図１０】
0003723798.tif 000011
【図１１】
0003723798.tif 000012
【図１２】
0003723798.tif 000013
【図１３】
0003723798.tif 000014
【図１４】
0003723798.tif 000015
【図１５】
0003723798.tif 000016
【図１６】
0003723798.tif 000017
【図１７】
0003723798.tif 000018
【図１８】
0003723798.tif 000019